(57)【要約】【課題】風力発電機等の風力エネルギー変換機を戴頭した独立型塔体構造物の保守点検・塗布作業のための足場構築について、機動性に富み、仮設、解体、撤去に係る作業労力及び工期短縮を含む工事コストを大幅に軽減可能とする。【解決手段】作業用足場装置Ｘが、塔体構造物１の頭頂部又は風力エネルギー変換機２の本体に被冠設置されるフレーム架台３と、該フレーム架台３の複数の係止点から吊下され、それぞれ地上のアンカー手段４に緊張固定される支線５と、フレーム架台３から塔体構造物１の作業予定壁面に沿って吊り索条６を介して懸垂され、かつ、昇降自在に高度保持されるゴンドラその他の仮設作業床７を具備する。そして、支線５の張力を調整してフレーム架台３を固縛定置するとともに、一又は複数の仮設作業床７を各別に懸垂保持する。支線５の外周には養生ネット８を展設可能である。【選択図】      図１
2004156478.tif 000002
【特許請求の範囲】
【請求項１】
回転子を含む風力原動機又は風力発電機〔以下、風力エネルギー変換機。〕を戴頭した独立型塔体構造物の保守点検・塗布作業に用いる作業用足場装置であって、
前記塔体構造物の頭頂部又は風力エネルギー変換機の本体に被冠設置されるフレーム架台と、該フレーム架台の複数の係止点から吊下され、それぞれ地上のアンカー手段に緊張固定される支線と、前記フレーム架台から前記塔体構造物の作業予定壁面に沿って吊り索条を介して懸垂され、かつ、昇降自在に高度保持されるゴンドラその他の仮設作業床を具備し、
前記支線の張力を調整して前記フレーム架台を固縛定置するとともに、一又は複数の前記仮設作業床を各別に懸垂保持してなることを特徴とする独立型塔体構造物の作業用足場装置。
【請求項２】
支線の外周に展設可能な養生ネットを有した請求項１記載の独立型塔体構造物の作業用足場装置。
【請求項３】
請求項１又は２記載の作業用足場装置を構築するための作業用足場設置工法であって、
地組みしたフレーム架台を空中搬送して塔体構造物の頭頂部又は風力エネルギー変換機の本体に被冠設置し、
前記フレーム架台の複数の係止点から支線を吊下してそれぞれ地上のアンカー手段に緊張固定し、
前記フレーム架台から吊り索条を介して塔体構造物の作業予定壁面に沿ってゴンドラその他の仮設作業床を懸垂し、かつ、昇降自在に高度保持し、
前記支線の張力を調整して前記フレーム架台を固縛定置するとともに、一又は複数の前記仮設作業床を各別に懸垂保持するようにしたことを特徴とする独立型塔体構造物の作業用足場設置工法。
【請求項４】
支線の外周に養生ネットを展設するようにした請求項３記載の独立型塔体構造物の作業用足場設置工法。
【発明の詳細な説明】
【０００１】
【発明の属する技術分野】
本発明は、回転子を含む風力エネルギー変換機を戴頭した独立型塔体構造物の保守点検・塗布作業に用いる作業用足場装置、及びの作業用足場装置を構築するための作業用足場設置工法に関する。なお、回転子は風力の作用するブレードやプロペラ等の部品とそれらを保持する回転部材をいうものである。
【０００２】
【従来の技術】
近年、自然の風力エネルギーを利用する発電装置として、回転子を含む風力発電機を戴頭した独立型塔体構造物が各地で見られるようになってきた。なお、回転子を含む風力原動機については古くから風車が知られている。
【０００３】
こうした風力発電機（塔体構造物を含む）の保守点検・塗布作業は定期的におこなわれることになるが、従来的には、図６に示す単管組足場や図７に示す枠組足場を構築してきた。
【０００４】
しかしながら、風力発電機の立地条件からして、仮設、解体、撤去には工期を含む作業負担が大きく、コスト高にならざるを得ないうえに、塔体構造物ごとに同様の作業工程を繰り返すので、設置数の増加とともに将来的な負担も増大することが懸念される。
【０００５】
【発明が解決しようとする課題】
こうしたなかで本発明者（ら）は、この種の独立型塔体構造物に対する足場構築について、機動性に富み、仮設、解体、撤去に係る作業労力を大幅に軽減可能で繰り返し使用可能な足場設置用治具（本発明に関しフレーム架台）を構想し、開発に力を注いできた結果、本発明を完成するに至った。本発明に関する先行技術はいまのところ見当たらない。
【０００６】
本発明はこのような事情に鑑みてなされたものであり、上記課題を解消し、従来的な足場装置とその設置工法を一新した独立型塔体構造物の作業用足場装置及び作業用足場設置工法を提供するものである。
【０００７】
【課題を解決するための手段】
課題を解決するために本発明は、回転子を含む風力エネルギー変換機を戴頭した独立型塔体構造物の保守点検・塗布作業に用いる作業用足場装置であって、前記塔体構造物の頭頂部又は風力変換機の本体に被冠設置されるフレーム架台と、該フレーム架台の複数の係止点から吊下され、それぞれ地上のアンカー手段に緊張固定される支線と、前記フレーム架台から前記塔体構造物の作業予定壁面に沿って吊り索条を介して懸垂され、かつ、昇降自在に高度保持されるゴンドラその他の仮設作業床を具備し、前記支線の張力を調整して前記フレーム架台を固縛定置するとともに、一又は複数の前記仮設作業床を各別に懸垂保持してなることを特徴とするものである。
【０００８】
また、上記作業用足場装置を構築するための作業用足場設置工法である。
【０００９】
【発明の実施の形態】
本発明の実施の形態は、図１に構成概要図を示すように、上記構成の作業用足場装置において、地組みしたフレーム架台を空中搬送して塔体構造物の頭頂部又は風力エネルギー変換機の本体に被冠設置し、フレーム架台の複数の係止点から支線を吊下してそれぞれ地上のアンカー手段に緊張固定している。フレーム架台からは、吊り索条を介して塔体構造物の作業予定壁面に沿ってゴンドラその他の仮設作業床を懸垂し、かつ、昇降自在に高度保持している。そして、支線の張力を調整してフレーム架台を固縛定置するとともに、一又は複数の仮設作業床を各別に懸垂保持するようにしている。また、支線の外周には養生ネットを展設している。
【００１０】
【実施例】
本発明の一実施例を添付図面を参照して以下説明する。
【００１１】
図２〜図４は、実施例足場装置である風力発電機塗装工事用足場装置と、その設置手順（足場設置工法）を示す各設置概要説明図であり、（ａ）が側面視、及び（ｂ）が正面視である。
【００１２】
図２に、実施例足場装置（Ｘ）の構成要素であるフレーム架台（３）と、その設置手順を示す。図示では、フレーム架台（３）をゴンドラ・養生設置用治具と指称している。〔以下、同じ。〕
【００１３】
図示するように、回転子を含む風力発電機（２）を戴頭した塔体構造物（１）の頭頂部（具体的には風力発電機の本体）に、地組みしたフレーム架台（３）をクレーンにより空中搬送して被冠設置する。なお、フレーム架台（３）は伸縮自在な骨格構造を有している。
【００１４】
図３に、実施例足場装置（Ｘ）の構成要素であるフレーム架台（３）から吊下する支線（５）及び吊り索条（６）と、それらの設置手順を示す。図示では、支線（５）を養生用ワイヤー、吊り索条（６）をゴンドラ用ワイヤーと指称している。〔以下、同じ。〕
【００１５】
図示するように、フレーム架台（３）の複数の係止点から支線（５）を吊下してそれぞれ地上のアンカー手段（４）に緊張固定する。そして、支線（５）の張力を調整してフレーム架台（３）を固縛定置する。このとき、吊り索条（６）は地上まで降ろして仮設作業床（７）〔図示の仮設ゴンドラ〕を接地させ、後述の養生ネット（８）の設置が完了するまで待機する。
【００１６】
図４に、実施例足場装置（Ｘ）の構成要素である養生ネットと、その設置手順を示す。図示では、養生ネット（８）を飛散防止養生と指称している。〔以下、同じ。〕
【００１７】
図示するように、支線（５）の外周に養生ネット（８）を展設する。
【００１８】
図５に、実施例足場装置（Ｘ）の構成要素である仮設作業床（７）と、その設置手順を示す。
【００１９】
図示するように、塗装作業開始に合わせて一又は複数の仮設作業床（７）を各別に塔体構造物（１）の作業予定壁面（塗装面）に昇降移動し懸垂保持（設置完了）する。そして、塗装作業の進行に応じて作業壁面（塗装面）に沿って移動し高度保持する。なお、昇降移動及び高度保持に係る動索手段（駆動源を含む）は個々の仮設作業床（７）が装備している。〔図示省略〕
【００２０】
【発明の効果】
本発明は以上の構成よりなるものであり、これによれば風力発電機等を戴頭した独立型塔体構造物に専用される足場設置用治具（本発明に関しフレーム架台）を有しているので、この種の塔体構造物に対する足場構築について、機動性に富み、仮設、解体、撤去に係る作業労力及び工期短縮を含む工事コストを大幅に軽減可能である。しかも、装置は繰り返し使用可能である。
【００２１】
また、足場装置一式はクレーン車とともにリースやレンタルが可能であり、現場に搬送して一気にセットアップするだけでよく、従来的な足場装置とその設置工法を一新するものであり、産業上の利用価値が高いものである。
【図面の簡単な説明】
【図１】実施形態の足場装置の構成概要図である。
【図２】実施例足場装置の設置概要説明図である。
【図３】実施例足場装置の設置概要説明図である。
【図４】実施例足場装置の設置概要説明図である。
【図５】実施例足場装置の設置概要説明図である。
【図６】従来の単管組足場の設置概要説明図である。
【図７】従来の枠組足場の設置概要説明図である。
【符号の説明】
１  塔体構造物
２  風力発電機〔風力エネルギー変換機〕
３  フレーム架台
４  アンカー手段
５  支線
６  吊り索条
７  仮設作業床
８  養生ネット
Ｘ  実施例足場装置
【図１】
2004156478.tif 000003
【図２】
2004156478.tif 000004
【図３】
2004156478.tif 000005
【図４】
2004156478.tif 000006
【図５】
2004156478.tif 000007
【図６】
2004156478.tif 000008
【図７】
2004156478.tif 000009